(57)【要約】【課題】ガイドレールが摩耗した場合に容易に交換ができ、しかも、ガイドレールをガイドレール支持部材に強固に支持できる穀稈搬送装置を提供する。【解決手段】扱口に沿って穀稈を搬送するフィードチェーン（５）を設け、脱穀機枠（Ｘ）に固定したガイドレール支持枠（４０）にフィードチェーン（５）を支持案内するガイドレール（２０）を取り付けた脱穀機の穀稈搬送装置において、前記ガイドレール（２０）は、ガイド部（２４）と、左右の取付部（２５，２５）を備え、前記ガイド部（２４）が前記ガイドレール支持枠（４０）に接当した状態で、左右の取付部（２５，２５）がガイドレール支持枠（４０）を左右両側から挟むよう構成すると共に、左右の取付部（２５，２５）をガイドレール支持枠（４０）に着脱自在に取り付けた。【選択図】　　　　図３
2004097140.tif 000002
【特許請求の範囲】
【請求項１】
扱口に沿って穀稈を搬送するフィードチェーン（５）を設け、脱穀機枠（Ｘ）に固定したガイドレール支持枠（４０）にフィードチェーン（５）を支持案内するガイドレール（２０）を取り付けた脱穀機の穀稈搬送装置において、前記ガイドレール（２０）は、ガイド部（２４）と、左右の取付部（２５，２５）を備え、前記ガイド部（２４）が前記ガイドレール支持枠（４０）に接当した状態で、左右の取付部（２５，２５）がガイドレール支持枠（４０）を左右両側から挟むよう構成すると共に、左右の取付部（２５，２５）をガイドレール支持枠（４０）に着脱自在に取り付けたことを特徴とする脱穀機における穀稈搬送装置。
【請求項２】
前記ガイドレール（２０）を穀稈搬送方向において複数に分割したことを特徴とする請求項１記載の脱穀機における穀稈搬送装置。
【発明の詳細な説明】
【０００１】
【発明の属する技術分野】
本発明は、脱穀機における穀稈搬送装置の技術分野に属するものである。
【０００２】
【従来の技術】
一般に、コンバイン等に搭載される脱穀機には、扱口に沿って穀稈をフィードチェーンと挟持レールとの間で挟持搬送する穀稈搬送装置を備えている。この種の穀稈搬送装置においては、フィードチェーンの穀稈搬送側を支持案内するガイドレールを設けているが、ガイドレールは長期の使用等により摩耗する可能性がある。
そこで、ガイドレールをガイドレール支持枠に着脱可能に構成し、ガイドレールが摩耗した場合にはガイドレールを振り替えて使用ができる構造のものが提案されている（例えば、特許文献１参照。）。
【０００３】
【特許文献１】
実開昭５５−１１４５５０号公報（第６図）
【０００４】
【発明が解決しようとする課題】
しかしながら、上記のものは、ガイドレールとガイドレール支持枠とを上下方向のボルトにより螺着しているだけなので、ガイドレールの支持が弱いという問題がある。
【０００５】
【課題を解決するための手段】
本発明は、上記の如き実情に鑑みこれらの課題を解決することを目的として創作されたものであって、扱口に沿って穀稈を搬送するフィードチェーンを設け、脱穀機枠に固定したガイドレール支持枠にフィードチェーンを支持案内するガイドレールを取り付けた脱穀機の穀稈搬送装置において、前記ガイドレールは、ガイド部と、左右の取付部を備え、前記ガイド部が前記ガイドレール支持枠に接当した状態で、左右の取付部がガイドレール支持枠を左右両側から挟むよう構成すると共に、左右の取付部をガイドレール支持枠に着脱自在に取り付けたことを特徴としている。
つまり、ガイドレールが摩耗した場合に容易に交換できるものでありながら、しかも、ガイドレールのガイド部がガイドレール支持枠に接当して支持され、更にその両側でガイドレールの左右の取付部がそれぞれガイドレール支持枠に取り付けられていることにより支持されるので、穀稈が扱胴に引っ張られることによりガイドレールがねじれ荷重を受けてもガイドレールが変形することなく強固に支持できる。
【０００６】
また、前記ガイドレールを穀稈搬送方向において複数に分割したことを特徴としている。
つまり、ガイドレールが摩耗した場合、摩耗した部分のみの交換で済むので、ガイドレール全体を交換するのに比較して作業性が良くなる。
【０００７】
【発明の実施の形態】
次に本発明の実施の形態を、図面に基いて説明する。
まず図１において、１は脱穀機であって、この脱穀機１の前部に設けた扱室２には、多数の扱歯を固設した扱胴３が回転自在に軸架されており、扱室２の後端一側には、前後方向の処理室４が扱室２と連通して配設されている。
５は扱口に沿って配設されたフィードチェーンであって、刈り取られた穀稈がフィードチェーン５に供給されると、このフィードチェーン５と挟扼レール６とで株元側を挟持された穀稈は、扱口に沿って搬送される過程で回転する扱胴３によって脱穀処理され、脱穀処理後の排藁はフィードチェーン５の搬送終端から排藁搬送体７に受け継がれて機体の後方に搬送排出される。
【０００８】
上記処理室４の内部には処理歯を固設した処理胴８が扱胴３と並行状に軸架されていて、扱室２の受網９を漏下し得なかった穂切れ穀稈等の混合した処理物が処理室４に送り込まれると、回転する処理胴８でさらに処理して穀粒を分離し、藁屑等は処理室４後部の排塵口１０から排出するようになっている。
上記扱室２および処理室４の下方には、無孔移送板、チャフシーブ、グレンシーブ、ストローラック等からなる揺動選別体１１が前後揺動自在に架設されており、その下方で機体の前部にある唐箕１２から選別風が送風されて、扱室２および処理室４から漏下した穀粒等を揺動選別体１１の揺動選別作用と選別風の風選作用とで選別する選別部が構成されている。１３は選別された穀粒を一番ラセン１４から揚上搬送して回収する揚穀筒、１５は二番ラセン１６から二番物を還元する還元ラセン、また１７は藁屑等を吸引排出する排塵ファンである。
【０００９】
次に、本発明に係る穀稈搬送装置について説明する。
図２，３に示されるように、フィードチェーン５は、その穀稈搬送側がガイドレール２０で下方から支持案内され、ガイドレール２０の前後に配設された従動スプロケット５１，５２と、その前後の従動スプロケット５１，５２の中間下方位置に配設された駆動スプロケット５３、及びテンションプーリー５４とに掛け渡されて配設されている。
前記ガイドレール２０は、フィードチェーン５の穀稈搬送方向において３分割されており、それぞれの分割ガイドレール２１，２２，２３がガイドレール支持枠４０に着脱自在に連結されている。前記ガイドレール支持枠４０は扱室枠体Ｘ（脱穀枠体）に取付ボルト２７により固定されている。
【００１０】
また、前記各分割ガイドレール２１，２２，２３は、それぞれフィードチェーン５を支持案内する前後方向に長いプレート部材（ガイド部）２４と、プレート部材２４の左右両側で下方にそれぞれ溶接された断面Ｌ字状の取付部２５，２５を有しており、分割ガイドレール２１，２２，２３をそれぞれガイドレール支持枠４０に取り付ける場合には、左右の取付部２５，２５の間にガイドレール支持枠４０を差し込み、左右の取付部２５，２５によりガイドレール支持枠４０を挟んだ状態で分割ガイドレール２１，２２，２３のプレート部材２４の下面をガイドレール支持枠４０に接当載置させ、左右の取付部２５，２５とガイドレール支持枠４０とを取付ボルト２６により連結する。
４１は前記ガイドレール支持枠４０の前端Ｙに着脱自在に連結される分割支持枠であり、該分割支持枠４１には従動スプロケット５１が回動自在に支持されると共に、フィードチェーン５を支持案内するガイドプレート４２が一体的に溶接されている。
【００１１】
５６はガイドレール支持枠４０に溶接されたブラケットに取付けられたストッパーであり、フィードチェーン５がある程度伸びるとテンションアーム５５が前記ストッパー５６に接当してテンションプーリ５４の揺動を規制し、フィードチェーン５がガイドレール支持枠４０等に接触して破損するのを防止している。
【００１２】
以上の構成により、穀稈がフィードチェーン５に供給されるとフィードチェーン５と挟扼レール６により扱口に沿って挟持搬送され、回転する扱胴３によって脱粒処理される。この時、ガイドレール２０には穀稈Ｋが扱胴３に引っ張られることによりねじれ荷重Ｆ（図３参照）が発生するが、ガイドレール２０のプレート部材２４の下面がガイドレール支持枠４０に接当載置して支持され、更にその両側でガイドレール２０の左右の取付部２５，２５がそれぞれガイドレール支持枠４０に取り付けられていることにより支持されるので、ガイドレール２０が変形することなく穀稈搬送を行うことができる。
また、分割ガイドレール２１，２２，２３が長期の使用等により摩耗した場合にはフィードチェーン５のテンション５４を弛め、摩耗したガイドレール２１，２２，２３とガイドレール支持枠４０との取付ボルト２６を外し、ガイドレール２１，２２，２３を上方に持ち上げることで容易に取り外しができるので、その部品交換を容易に行うことができる。組み付ける時は上記操作の反対の手順により行う。
【００１３】
次に、図４に示される他の実施の形態について説明する。
前記のものは、ガイドレール２０のプレート部材２４と左右の取付部２５，２５とを溶接していたが、このものはプレス加工品で一体構成としたものであり、前記のものと比較して部品点数を削減でき溶接加工を不要にできる。
【図面の簡単な説明】
【図１】脱穀機の全体側面図である。
【図２】（ａ）はフィードチェーン支持構成を示す要部側面図である。（ｂ）はフィードチェーン支持構成を示す要部平面図である。
【図３】「図２」のＡ−Ａ線における断面図である。
【図４】「図２」のＡ−Ａ線における他の実施の形態を示す断面図である。
【符号の説明】
５　フィードチェーン
２０　ガイドレール
２１　分割ガイドレール
２２　分割ガイドレール
２３　分割ガイドレール
２４　プレート部材（ガイド部）
２５　取付部
４０　ガイドレール支持枠
【図１】
2004097140.tif 000003
【図２】
2004097140.tif 000004
【図３】
2004097140.tif 000005
【図４】
2004097140.tif 000006